【手続補正書】
【提出日】平成18年3月13日(2006.3.13)
【手続補正１】
【補正対象書類名】明細書
【補正対象項目名】特許請求の範囲
【補正方法】変更
【補正の内容】
【特許請求の範囲】
【請求項１】  食料品を貯蔵するための貯蔵容器において、
トレイ底部とトレイ側壁部とを有し、前記トレイ側壁部が前記トレイ底部の周辺から上方向に延びると共にトレイの上縁部を形成し、前記トレイ底部と前記トレイ側壁部とが貯蔵部を画定するトレイと、
前記貯蔵部に配置された吸収剤材料と、
前記貯蔵部に隣接すると共に重なり関係にて前記トレイに取り付けられかつ前記吸収剤材料から離間したカバー
とを備え、
前記カバーは液体浸透性シート材料で形成されると共に前記トレイに係合し、前記カバーは前記吸収剤材料を前記貯蔵部内に保持するバリアを形成すると共に前記カバー上に戴置された食料品を支持する実質的に扁平な支持表面を形成して、食料品が前記カバー上に戴置された際に前記カバーが前記吸収剤材料から離間し続けるようにし、
さらに容器底部と前記容器底部の周辺から上方向に延びて前記容器の上縁部を形成する容器側壁部とを有する容器を備え、前記容器底部と前記容器側壁部とは容器内部を画定し、前記トレイは挿入位置にて前記トレイ底部の少なくとも一部が前記容器底部の少なくとも一部に係合するような挿入位置にて前記容器内部に挿入する寸法および形状とし、前記トレイの前記上縁部は前記容器側壁部に実質的に適合し、さらに前記カバーは前記トレイ底部と前記容器の前記上縁部との間に配向される
ことを特徴とする貯蔵容器。
【請求項２】  前記吸収剤材料が超吸収剤粒子からなる請求項１に記載の貯蔵容器。
【請求項３】  前記トレイが前記トレイ底部から上方向に延びる少なくとも１つのリブを有し、前記少なくとも１つのリブが前記カバーと係合して前記少なくとも１つのリブが前記貯蔵部をセルに分割するようにし、前記セルが前記吸収剤材料を内蔵する請求項１に記載の貯蔵容器。
【請求項４】  前記カバーが前記トレイの前記上縁部においてのみ前記トレイ側壁部に取り付けられ、前記トレイの前記上縁部が前記実質的に扁平な支持表面の下に配向されると共に前記実質的に扁平な支持表面の外周縁部を支持する形状である請求項１に記載の貯蔵容器。
【請求項５】  前記カバーが熱可塑性不織布で形成される請求項１に記載の貯蔵容器。
【請求項６】  前記トレイが、前記トレイ底部から上方向に延びると共に前記カバーに係合する複数のリブを有して、前記複数のリブが前記貯蔵部をセルに分割し、前記セルが前記吸収剤材料を内蔵する請求項１に記載の貯蔵容器。
【請求項７】  前記トレイ底部が、前記貯蔵部を貫通すると共に連通する少なくとも１つの流体入口を有し、前記少なくとも１つの流体入口は前記吸収剤材料が前記貯蔵部内に実質的に保持されると共に前記貯蔵容器内に置かれた食料品から滲出する流体が前記少なくとも１つの流体入口を介し前記貯蔵部に流入しうるような形状である請求項１に記載の貯蔵容器。
【請求項８】  食料品を貯蔵するための貯蔵容器において、
容器底部と容器側壁部とを有し、前記容器側壁部が前記容器底部の周辺から上方向に延び、前記容器底部と前記容器側壁部とが容器内部を画定する容器と、
挿入位置にて前記容器内部に挿入するよう構成されたトレイであって、前記挿入位置にある際に前記容器側壁部に実質的に適合するよう構成された上縁部を有すると共に貯蔵部を画定するトレイと、
前記貯蔵部に配置された吸収剤材料と、
前記容器内部に置かれた食料品を支持すると共に前記吸収剤材料を前記貯蔵部内に保持するカバー
とを備え、
前記カバーは液体浸透性材料で形成されると共に前記トレイに係合して、前記カバーが前記容器内部に置かれた食料品を支持するための実質的に扁平な支持表面を形成するようにし、前記カバーは前記吸収剤材料から離間して前記吸収剤材料が、食料品がこの吸収剤材料を圧縮することなしに前記容器内部に置かれた食料品から滲出する流体を吸収するよう配置されてなる貯蔵容器。
【請求項９】  前記トレイがトレイ底部とトレイ側壁部とを有し、前記トレイ底部が前記挿入位置にある際に前記容器底部に実質的に適合するよう構成され、前記トレイが前記貯蔵部を貫通すると共に連通する少なくとも１つの流体入口を有し、前記少なくとも１つの流体入口は前記吸収剤材料を前記貯蔵部内に実質的に保持すると共に前記容器内部に置かれた食料品から滲出する流体が前記少なくとも１つの流体入口を介し前記貯蔵部に流入しうるよう構成されてなる請求項８に記載の貯蔵容器。
【請求項１０】  前記トレイがトレイ底部と前記トレイ底部から上方向に延びる少なくとも１つのリブとを有して、前記少なくとも１つのリブが前記貯蔵部をセルに分割すると共に、前記セルが前記吸収剤材料を内蔵する請求項８に記載の貯蔵容器。
【請求項１１】  前記カバーが前記トレイの前記上縁部においてのみ前記トレイに取り付けられ、前記カバーが熱可塑性不織布で形成される請求項８に記載の貯蔵容器。
【請求項１２】  前記容器が係合位置と非係合位置との間で移動しうる蓋を有し、前記係合位置にて前記蓋および前記容器は前記容器内部に前記トレイを包封し、前記非係合位置にて前記容器は前記容器内部へのアクセスを与える請求項８に記載の貯蔵容器。
【請求項１３】  食料品を貯蔵するための貯蔵容器において、
底部と、
前記底部の周辺から上方向に延びる連続側壁部であって、前記底部と前記連続側壁部とが貯蔵部を規定すると共に前記底部が前記貯蔵部を複数のセルに分割するよう前記底部の長さに実質的に跨って前記貯蔵部中へ延びる少なくとも１つの主リブを有し、前記連続側壁部が前記連続側壁部の周囲かつ前記貯蔵部中へ延びる外周リブを有し、前記外周リブが前記底部からほぼ均一な間隔にて離間した上側表面を有する、前記連続側壁部と、
前記複数のセルの少なくとも１つに配置された吸収剤材料と、
液体浸透性材料で形成されたカバー
とを備え、
前記カバーの周辺は前記外周リブの前記上側表面および前記少なくとも１つの主リブに係合し、前記カバーは前記貯蔵容器内に置かれた食料品を支持する支持表面を形成して、食料品が前記カバー上に置かれた際に前記カバーが前記吸収剤材料から離間され続けるようにしてなる貯蔵容器。
【請求項１４】  前記カバーが液体浸透性シート材料で形成される請求項１３に記載の貯蔵容器。
【請求項１５】  前記底部がそこから延びる少なくとも１つのリブセグメントを有し、前記少なくとも１つのリブセグメントが前記連続側壁部と前記少なくとも１つの主リブとの間に跨り、前記少なくとも１つのリブセグメントが前記少なくとも１つの主リブに対しほぼ垂直に配向される請求項１３に記載の貯蔵容器。
【請求項１６】  前記少なくとも１つのリブセグメントが前記外周リブに係合する請求項１５に記載の貯蔵容器。
【請求項１７】  前記カバーが前記少なくとも１つのリブセグメントに係合する請求項１６に記載の貯蔵容器。
【請求項１８】  食料品が前記貯蔵容器中へ挿入されると共に、蓋、保護ラップおよび保護ホイルよりなる群の少なくとも１つを施すことにより前記貯蔵容器に封入される請求項１に記載の貯蔵容器。
【請求項１９】  前記容器が係合位置と非係合位置との間で移動しうる蓋を有し、前記係合位置にて前記蓋および前記容器が前記トレイを前記容器内部に包封し、前記非係合位置にて前記容器が前記容器内部へのアクセスを与える請求項５に記載の貯蔵容器。
【請求項２０】  食料品が前記貯蔵容器中へ挿入されると共に、蓋、保護ラップおよび保護ホイルよりなる群の少なくとも１つを施すことにより前記貯蔵容器に封入される請求項８に記載の貯蔵容器。
【請求項２１】  食料品が前記貯蔵容器中へ挿入されると共に、蓋、保護ラップおよび保護ホイルよりなる群の少なくとも１つを施すことにより前記貯蔵容器に封入される請求項１３に記載の貯蔵容器。
【請求項２２】  前記カバーが熱可塑性不織布により形成される請求項１３に記載の貯蔵容器。
【請求項２３】  食料品を貯蔵するための貯蔵容器において、
底部と、
前記底部の周辺から上方向に延びる連続側壁部であって、前記連続側壁部が前記底部に隣接する外周リブを有して前記底部に貯蔵部を形成し、前記外周リブが前記底部からほぼ均一な間隔にて離間した上側表面を有する、前記連続側壁部とを備え、
前記底部が前記貯蔵部中へ上方向に延びる少なくとも１つのリブセグメントを有し、
前記貯蔵部に配置された吸収剤材料と、
前記貯蔵部の上に配置されたカバーであって、前記少なくとも１つのリブセグメントに係合し、前記外周リブの前記上側表面に係合する周辺を有するカバー
とを備え、
食料品は前記カバー上に戴置され、前記少なくとも１つのリブセグメントは前記カバーと前記カバー上に戴置された食料品とを支持し、前記カバーは前記カバー上に戴置された食料品から滲出する流体を前記吸収剤材料へと通過させ、流体は前記吸収剤材料によって吸収され、前記カバー上に戴置された食料品が前記吸収剤材料から離間され続けるようにする貯蔵容器。
【請求項２４】  前記少なくとも１つのリブセグメントが前記貯蔵部において複数のセルを形成し、吸収剤材料が前記セル中に内蔵される請求項２３に記載の貯蔵容器。
【請求項２５】  前記少なくとも１つのリブセグメントが前記外周リブに係合する請求項２４に記載の貯蔵容器。
【請求項２６】  食料品が前記貯蔵容器中へ挿入されると共に、蓋、保護ラップおよび保護ホイルよりなる群の少なくとも１つを施すことにより前記貯蔵容器に封入される請求項２３に記載の貯蔵容器。